(57)【要約】【課題】本発明は、棒状の発光体を本体に容易に着脱することができ、しかも、発光体が本体から外れないように発光体をしっかりと固定できる仕掛け用釣具を得ることにある。【解決手段】仕掛け用釣具(4)は、道糸(2)が連結される本体(6)を有し、この本体(6)に可撓性を有する棒状の発光体(8)を支持する支持部(12)が形成されている。支持部(12)は、本体(6)の上部に形成されて発光体(8)の軸方向に延びる支持面(13)を有している。支持面(13)の長手方向に沿う中間部に壁部(16)が形成されている。壁部(16)は、発光体(8)が貫通する孔(19)を有している。支持面(13)の長手方向に沿う少なくとも一端に凸部(14, 15)が形成されている。凸部(14, 15)は、発光体(8)を孔(19)に通す時に発光体(8)を弾性的に撓ませるように、支持面(13)よりも上方に突出している。【選択図】      図４
2009171893.tif 000002
【特許請求の範囲】
【請求項１】
道糸が連結される本体を有する仕掛け用釣具であって、
上記本体は、可撓性を有する棒状の発光体を支持する支持部を有し、
この支持部は、
上記本体の上部に形成されて上記発光体の軸方向に延びる支持面と、
上記支持面の長手方向に沿う中間部に設けられ、上記発光体が貫通する孔を有する壁部と、
上記支持面の長手方向に沿う少なくとも一端から上記支持面よりも上方に突出し、上記発光体を上記孔に通す時に上記発光体を弾性的に撓ませるための凸部と、を備えていることを特徴とする仕掛け用釣具。
【請求項２】
請求項１の記載において、上記孔は、上記支持面に開口するとともに、上記支持面は、上記孔に対応する位置に上記発光体の挿入方向に沿う先端が入り込む凹所を有することを特徴とする仕掛け用釣具。
【請求項３】
請求項２の記載において、上記凹所は、上記発光体の挿入方向に進むに従い上記凹所の底から上記支持面に向けて傾斜するガイド面を有することを特徴とする仕掛け用釣具。
【請求項４】
請求項１の記載において、上記凸部は、上記支持面の長手方向に沿う両端に位置するとともに、上記孔を貫通した上記発光体は、上記凸部の間に跨った状態で上記支持面の上に載置されることを特徴とする仕掛け用釣具。
【請求項５】
請求項１又は請求項４の記載において、上記凸部は、上記発光体の端部が入る溝部を有することを特徴とする仕掛け用釣具。
【発明の詳細な説明】
【技術分野】
【０００１】
本発明は、魚釣用の仕掛けに取り付けて使用する釣具に係り、特に棒状の発光体を釣具に固定するための構造に関する。
【背景技術】
【０００２】
魚釣用の仕掛けを狙ったポイントに向けて投擲する際に用いる、いわゆる飛ばし浮きと称する仕掛け用釣具は、道糸が連結される本体を備えている。この種の釣具を仕掛けに取り付けて夜釣りを行う場合、仕掛け用釣具の位置や魚信を視認することを目的として、仕掛け用釣具の本体に例えばケミホタル（登録商標；日本化学発光株式会社）と称する棒状の発光体を取り付けることが行われている。
【０００３】
従来の仕掛け用釣具では、例えば特許文献１に開示されているように、本体の上面に発光体が挿入される挿入部が接着されている。挿入部は、透明な合成樹脂製のパイプにて構成されている。パイプは、上部に軸方向に沿う縦割り溝を有するとともに、パイプの内面には、複数の線条突起が形成されている。線条突起は、発光体をパイプ内に挿入した時に発光体の外周面に突き当たり、これにより、発光体がパイプに保持されるようになっている。
【特許文献１】実公平７−３９４１７号公報
【発明の開示】
【発明が解決しようとする課題】
【０００４】
従来の仕掛け用釣具によると、発光体はパイプ内に差し込まれているだけであり、しかも、パイプ自体が縦割り溝を有して径を拡張する方向に変形が可能となっているので、発光体を保持する力が不足するのを否めない。
【０００５】
そのため、例えば釣竿を勢いよくスイングしたり、あるいは仕掛けが着水した時に、仕掛け用釣具に加わる衝撃により発光体がパイプから脱落することがあり、釣人が仕掛け用釣具の位置や魚信を視認することができなくなるといった不具合がある。
【０００６】
本発明の目的は、棒状の発光体を本体に容易に着脱することができ、しかも、発光体が本体から外れないように発光体をしっかりと固定できる仕掛け用釣具を得ることにある。
【課題を解決するための手段】
【０００７】
上記目的を達成するため、本発明の一つの形態に係る仕掛け用釣具は、道糸が連結される本体を有し、この本体に可撓性を有する棒状の発光体を支持する支持部が形成されている。  
上記支持部は、  
(1)上記本体の上部に形成されて上記発光体の軸方向に延びる支持面と、  
(2)上記支持面の長手方向に沿う中間部に設けられ、上記発光体が貫通する孔を有する壁部と、  
(3)上記支持面の長手方向に沿う少なくとも一端から上記支持面よりも上方に突出し、上記発光体を上記孔に通す時に上記発光体を弾性的に撓ませるための凸部と、を備えていることを特徴としている。
【発明の効果】
【０００８】
本発明によれば、本体に対する発光体の着脱作業を容易に行いつつ、発光体の弾性を利用して発光体を本体の支持面にしっかりと固定することができる。
【発明を実施するための最良の形態】
【０００９】
以下本発明の第１の実施の形態を、図１ないし図４に基づいて説明する。
【００１０】
図１は、例えばメバルあるいはアジ釣り用に好適する仕掛け１を開示している。仕掛け１は、道糸２、複数の枝糸３ａ，３ｂ，３ｃおよび本発明に係る釣具４を備えている。道糸２は、図示しない釣竿の穂先から繰り出されている。枝糸３ａ，３ｂ，３ｃは、道糸２の先端部から道糸２の長さ方向に所定の間隔を存して分岐されており、各枝糸３ａ，３ｂ，３ｃの先端に疑似餌５が取り付けられている。疑似餌５は、釣りの対象となる獲物が興味を引くような形状に形成されている。なお、疑似餌５の代わりに枝糸３ａ，３ｂ，３ｃの先端に餌を取り付けてもよい。
【００１１】
第１の実施形態の釣具４は、いわゆる飛ばし浮きと称するもので、通常の重りと同様に水面Ｓの下に沈むような特性を有している。図２および図３に示すように、釣具４は、本体６を備えている。本体６は、例えば合成樹脂、発泡材、木材のような浮力を有する公知の材料で形成することができる。第１の実施形態では、釣具４の本体６は、ポリカーボネートやポリプロピレンのような合成樹脂で形成されており、光を透過させるような半透明な乳白色を呈している。この本体６の前端には、リング状の糸連結部７が取り付けられており、この糸連結部７に道糸２の先端が連結されている。
【００１２】
釣具４の本体６は、夜間に魚釣を行う時に棒状の発光体８を取り付けて使用する。発光体８は、発光することで釣具４の位置や魚信等を釣人に視認させるためのものであり、一般にケミホタル（登録商標；日本化学発光株式会社）等の化学発光体が用いられている。発光体８は、可撓性を有するチューブ状の容器９を含み、この容器９の中に二種類の液体が封入されている。液体は、容器９を釣人が手で曲げた時に互いに混合し合い、これにより化学的に発光するようになっている。
【００１３】
図２に示すように、本体６は、例えば舟に類似した形状であり、所定の長さを有している。本体６は、底面６ａおよび上面６ｂを備えている。本体６の底面６ａは、舟の底のような形状に形成されている。上面６ｂは、底面６ａの反対側に位置するとともに、本体６の長手方向に延びる水平な平坦面となっている。上面６ｂの長手方向に沿う中間部に一対の中間壁１０ａ，１０ｂが形成されている。中間壁１０ａ，１０ｂは、上面６ｂから上向きに突出するとともに、本体６の幅方向に間隔を存して向かい合っている。
【００１４】
本体６の上面６ｂに発光体８を取り外し可能に支持する支持部１２が形成されている。支持部１２は、発光体８の容器９が置かれる支持面１３と、支持面１３の前側に位置する第１の凸部１４と、支持面１３の後側に位置する第２の凸部１５と、支持面１３の中間に位置する壁部１６とを備えている。
【００１５】
支持面１３は、本体６の上面６ｂの幅方向に沿う中央部に位置している。支持面１３は、本体６の長手方向に延びて、本体６の上面６ｂに面一に連続している。第１および第２の凸部１４，１５は、夫々支持面１３よりも本体６の上方に向けて突出するとともに、その突出端が滑らかな円弧を描くように湾曲している。
【００１６】
第１の凸部１４は、本体６の前端部に位置している。第１の凸部１５の支持面１３に臨む端部には、発光体８の一端部８ａが嵌合する溝部１７が形成されている。溝部１７は、支持面１３に連続するとともに、溝部１７の底は、支持面１３の方向に進むに従い滑らかな円弧を描いて下向きに傾斜している。
【００１７】
第２の凸部１５は、本体６の後端部に位置している。第２の凸部１５の支持面１３に臨む端部には、発光体８の他端部８ｂが嵌合する溝部１８が形成されている。溝部１８は、発光体８の他端部８ｂの端面が突き当たる垂直なストッパ面１８ａを有している。
【００１８】
なお、発光体８の一端部８ａおよび他端部８ｂは、夫々溝部１７，１８に嵌合することに限らず、単に溝部１７，１８に入って収納されているだけでもよい。
【００１９】
壁部１６は、本体６の中間壁１０ａ，１０ｂの間に介在されている。壁部１６は、発光体８の容器９が摺動可能に貫通する嵌合孔１９を有し、この嵌合孔１９は、支持面１３に開口している。嵌合孔１９から第１の凸部１４までの距離および嵌合孔１９から第２の凸部１５までの距離は、発光体８の全長の略半分となっている。
【００２０】
嵌合孔１９は、発光体８の軸方向の移動を規制するように、発光体８が嵌合する大きさとすることが好ましいが、単に発光体８が挿通し得るような大きさの孔であってもよい。
【００２１】
さらに、支持面１３のうち嵌合孔１９に対応する箇所に凹所２１が形成されている。凹所２１は、発光体８の一端部８ａ又は他端部８ｂが入り込めるような大きさを有している。凹所２１は、第１および第２のガイド面２２ａ，２２ｂを含んでいる。
【００２２】
第１のガイド面２２ａは、凹所２１の前端に位置している。第１のガイド面２２ａは、凹所２１の底と支持面１３との間を結ぶように、凹所２１の底から本体６の前方向に進むに従い上向きに傾斜している。
【００２３】
第２のガイド面２２ｂは、凹所２１の後端に位置している。第２のガイド面２２ｂは、凹所２１の底と支持面１３との間を結ぶように、凹所２１の底から本体６の後方向に進むに従い上向きに傾斜している。
【００２４】
図２ないし図４に示すように、支持面１３、壁部１６、溝部１８を含む第２の凸部１５の一部１５ａおよび凹所２１は、本体６から分離された蓋部材２３に形成されている。蓋部材２３は、本体６と同様の半透明な乳白色の合成樹脂で形成されており、光透過性を有している。
【００２５】
蓋部材２３の前端に円柱状の第１の嵌合突起２４が形成されている。第１の嵌合突起２４は、蓋部材２３の下面から下向きに突出している。さらに、蓋部材２３の後端に円柱状の第２の嵌合突起２５が形成されている。第２の嵌合突起２５は、蓋部材２３の下面から下向きに突出している。第２の嵌合突起２５の先端面には、下向きに突出する支持軸２６が同軸状に形成されている。
【００２６】
本体６の上面６ｂに蓋部材２３が嵌まり込む窪み部２８が形成されている。窪み部２８は、中間壁１０ａ，１０ｂの間を通って本体６の長手方向に延びている。窪み部２８の底の前端部に、蓋部材２３の第１の嵌合突起２４が嵌まり込む第１の嵌合穴２９が形成されている。第１の嵌合突起２４が第１の嵌合穴２９に嵌まり込むことで、本体６に対する蓋部材２３の前端部の位置決めがなされるとともに、蓋部材２３の前端部のぐらつきが阻止される。
【００２７】
窪み部２８の底の後端部に、蓋部材２３の第２の嵌合突起２５が嵌まり込む第２の嵌合穴３０が形成されている。第２の嵌合突起２５が第２の嵌合穴３０に嵌まり込むことで、本体６に対する蓋部材２３の後端部の位置決めがなされるとともに、蓋部材２３の後端部のぐらつきが阻止される。
【００２８】
さらに、第１の実施の形態では、第２の嵌合突起２５の下端面と第２の嵌合穴３０の底との間に収容室３２が形成されている。収容室３２に一対の重り３３ａ，３３ｂが取り出し可能に収容されている。重り３３ａ，３３ｂは、釣具４を本体６の浮力に抗して水中に沈めるためのものであり、例えば鉄、真鍮あるいはステンレスのような金属材料によってリング状に形成されている。重り３３ａ，３３ｂは、収容室３２内で互いに積層されているとともに、その中央部を支持軸２６が貫通している。そのため、重り３３ａ，３３ｂは、支持軸２６を介して収容室３２内での姿勢が一定に保たれており、この重り３３ａ，３３ｂの存在により、釣具４の重心位置が本体６の前端部よりも後端部の方向にずれている。
【００２９】
第１の実施の形態では、窪み部２８に嵌め込まれた蓋部材２３は、一本のねじ３５により本体６に固定されている。したがって、ねじ３５を弛めて蓋部材２３を本体６から分離させることで、収容室３２から重り３３ａ，３３ｂを取り出したり、逆に収容室３２に重り３３ａ，３３ｂを装着することができる。
【００３０】
道糸２に釣具４を取り付けた仕掛け１をポイントに向けて投擲すると、図１に示すように仕掛け１が水中に投入される。釣具４の重心位置は、本体６の前端部よりも後端部の方向に偏っているので、釣具４は、本体６の後端部を下にした姿勢を保ったまま、水中に没する。
【００３１】
この状態で道糸２をリールに巻き取っていくと、釣具４が水中を図１の矢印方向に移動する。この際、釣具４の重心位置を定める重り３３ａ，３３ｂは、道糸２と本体６との連結部から遠ざかった本体６の後端部に位置するので、釣具４が道糸２に引っ張られて水中を移動する時の釣具４の姿勢が安定する。釣具４が水中を移動すると、疑似餌５が水中で動き始め、この疑似餌５の動きに誘われた魚やイカ等の獲物を仕掛け１で捕捉することができる。
【００３２】
このような第１の実施の形態において、釣具４の本体６に発光体８を取り付ける手順について説明する。
【００３３】
図４に示すように、例えば発光体８の他端部８ｂを本体６の第１の凸部１４の方向から支持面１３の中間に位置する嵌合孔１９に導く。この時、第１の凸部１４は、支持面１３よりも本体６の上方に突出しているので、発光体８は、支持面１３に対し他端部８ｂを下向きにした姿勢で傾斜するとともに、この発光体８の他端部８ｂが支持面１３に開口する凹所２１内に入り込む。
【００３４】
この状態で発光体８を嵌合孔１９に向けてさらに押し込んでいくと、発光体８の他端部８ｂが凹所２１の底から第２のガイド面２２ｂに乗り移る。第２のガイド面２２ｂは、凹所２１の底から支持面１３に向けて上向きに傾斜しているので、発光体８の他端部８ｂは、第２のガイド面２２ｂに沿って上向きに案内される。この結果、発光体８は、円弧を描くように弾性的に撓みながら嵌合孔１９を通り抜ける。
【００３５】
発光体８が嵌合孔１９を通り抜けた状態では、発光体８がそれ自体の弾性により直線状に復帰し、第１の凸部１４と第２の凸部１５との間に跨るようにして支持面１３の上に載置される。さらに、発光体８の一端部８ａが第１の凸部１４の溝部１７に、発光体８の他端部８ｂが第２の凸部１５の溝部１８に夫々嵌まり込むとともに、発光体８の他端部８ｂの端面が溝部１８のストッパ面１８ａに突き当たる。
【００３６】
これにより、発光体８は、本体６の長手方向および幅方向に沿う位置決めがなされた状態で支持面１３の上に装着されることになり、一連の発光体８の取り付け作業が完了する。
【００３７】
一方、本体６の支持面１３の上に装着された発光体８を釣具４から取り外すには、発光体８を第１の凸部１４の方向に引っ張って、嵌合孔１９から引き抜く。この際、第１の凸部１４は、支持面１３よりも上方に突出しているので、発光体８の一端部８ａを溝部１７の傾斜に沿うように強制的に湾曲させ、発光体８と第１の凸部１４との干渉を意識的に回避させる。
【００３８】
この結果、発光体８は、滑らかな円弧を描くように弾性的に撓みながら嵌合孔１９から引き出されることになり、本体６からの発光体８の取り出し作業が完了する。
【００３９】
本発明の第１の実施の形態によれば、棒状の発光体８は、支持面１３の上の嵌合孔１９に単に押し込むことで本体６の支持部１２に取り付けることができる。それとともに、棒状の発光体８は、嵌合孔１９から単に引き出すことで本体６の支持部１２から取り外すことができる。
【００４０】
そのため、釣具４に対する発光体６の取り付けおよび取り外し作業を容易に行うことでき、釣具４の使い勝手が良好となる。
【００４１】
加えて、発光体８は、弾性的な撓みを伴いながら嵌合孔１９を通り抜けるとともに、嵌合孔１９を通り抜けた状態では、一直線状に弾性的に復帰する。そのため、発光体８は、第１および第２の凸部１４，１５を避けるように意識的に撓ませない限り、支持面１３の上から取り出すことができず、発光体８の固有の弾性を利用して、発光体８を支持面１３の上にしっかりと固定することができる。
【００４２】
この結果、例えば仕掛け１の飛距離を大きくするため釣竿を勢いよくスイングしたり、あるいは仕掛けが水面Ｓに着水した時に、発光体８を取り付けた釣具４に大きな衝撃が加わったとしても、発光体８が釣具４から外れ難くなる。よって、釣人は、発光体８が発する光を手掛かりとして、水中の釣具４の位置や魚信を確実に視認することができる。
【００４３】
上記構成の釣具４によると、発光体８は、釣具４に取り付ける前に釣人が手で曲げることで発光を開始する。さらに、発光体８は、本体６の支持部１２に取り付ける時に、上記のように強制的に湾曲される。この発光体８の湾曲により、容器９内の二種類の液体が互いに混じり合うので、発光体８を釣具４に取り付ける前に発光させなくとも、釣具４への取り付け時に発光体８を化学的に発光させることができる。
【００４４】
したがって、発光体８を本体６の支持部１２に取り付ける過程で発光体８が発光を開始する。そのため、例えば夜間に照明設備の無い釣場で発光体８を本体６に取り付ける場合であっても、発光体８からの光によって本体６の支持部１２を照らすことができ、発光体８の取り付け作業を容易に行なうことができる。
【００４５】
さらに、本実施の形態の本体６は、光透過性を有する半透明な乳白色の合成樹脂で形成されている。この構成によれば、発光体８から支持面１３の方向に向かう光が本体６を透過するので、本体６が全体的にほのかに光るように見える。このため、意匠的な効果が高まるのは勿論のこと、夜間に釣人が釣具４の位置および魚信を視認する上でより有利な構成となるといった利点がある。
【００４６】
なお、本体６は、透明に形成してもよいとともに、例えば塗料、顔料等で着色することで視認性を高めるようにしてもよい。
【００４７】
本発明は上記第１の実施の形態に特定されるものではなく、発明の主旨を逸脱しない範囲内で種々変形して実施可能である。
【００４８】
例えば上記第１の実施の形態では、発光体を第１の凸部の方向から嵌合孔に導くようにしたが、第２の凸部の方向から嵌合孔に導くようにしてもよい。
【００４９】
さらに、本体の後端部から第２の凸部を排除し、本体の後端部に発光体の他端部が突き当たるストッパを形成するようにしてもよい。
【００５０】
図５は、本発明の第２の実施の形態を開示している。
【００５１】
第２の実施の形態は、釣具４の本体６から重りを取り外して、釣具４を浮きとして使用する一例を示しており、釣具４の基本的な構成は、第１の実施の形態と同様である。
【００５２】
この第２の実施の形態では、本体６の後端部にリング状の他の糸連結部４１が取り付けられている。糸連結部４１には、釣糸４２の基端が連結されており、この釣糸４２の先端に疑似餌５が取り付けられている。
【００５３】
第２の実施の形態によると、道糸２に釣具４を取り付けた仕掛け１をポイントに向けて投擲すると、図５に示すように仕掛け１が水面Ｓに投入され、釣具４が本体６の浮力によって水面Ｓを浮遊する。この状態で道糸２をリールに巻き取っていくと、釣具４が水面Ｓを図５の矢印方向に移動する。それとともに、疑似餌５が釣具４に引っ張られて水面Ｓの直下で動き始め、この疑似餌５の動きに誘われた魚やイカ等の獲物を仕掛け１で捕捉することができる。
【００５４】
本発明において、発光体は容器内に二種類の液体を封入したものに特定されるものではなく、液体の代わりに蓄光性材料を用いてもよい。蓄光性材料は、光エネルギを吸収するとともに、吸収した光エネルギを可視光線に変換する特性を有する素材であり、具体的には蛍光体を用いることができる。
【００５５】
さらに、釣具の本体の形状にしても舟形に限らず、例えば周面の一部に平坦な支持面を有する卵形であってもよい。
【図面の簡単な説明】
【００５６】
【図１】本発明の第１の実施の形態に係る魚釣用の仕掛けの使用形態を示す側面図。
【図２】本発明の第１の実施の形態に係る仕掛け用釣具の斜視図。
【図３】本発明の第１の実施の形態に係る仕掛け用釣具の断面図。
【図４】本発明の第１の実施の形態において、仕掛け用釣具の本体に発光体を装着する手順を示す断面図。
【図５】本発明の第２の実施の形態に係る魚釣用の仕掛けの使用形態を示す側面図。
【符号の説明】
【００５７】
２…道糸、６…本体、８…発光体、１２…支持部、１３…支持面、１４，１５…凸部（第１の凸部、第２の凸部）、１６…壁部、１９…孔（嵌合孔）。
【図１】
2009171893.tif 000003
【図２】
2009171893.tif 000004
【図３】
2009171893.tif 000005
【図４】
2009171893.tif 000006
【図５】
2009171893.tif 000007